(57)【要約】【課題】コネクタの挿抜方向に大きなスペースがなくても、コネクタ同士を嵌合することができる多極コネクタを提供する。【解決手段】多極コネクタ１は電気接続箱２より立設した第一のリブ４と電気接続箱２に取り付けられた第一のコネクタ３と第一のリブ４の摺動部１４に摺動自在に取り付けられた第二のコネクタ５とを備えている。第一のリブ４に設けられたねじ孔８にねじ込まれるボルト８の先端が第二のリブ６に設けられたテーパ面１５に摺接する。ボルト８のねじ込まれる方向と第一のコネクタ３と第二のコネクタ５との嵌合方向とが互いに直交している。第一のリブ４は第一のコネクタ３に向かうにしたがって徐々に幅が広くなる拡径部１２を備えている。多極コネクタ１は更に第一及び第二のリブ４，６が互いに離れるのを防止する開き防止部材７を備えている。【選択図】図１
2005353356.tif 000002
【特許請求の範囲】
【請求項１】
第一のコネクタと、前記第一のコネクタから立設した第一のリブと、前記第一のコネクタと嵌合する第二のコネクタと、前記第一のリブに前記第一のコネクタと前記第二のコネクタとの嵌合方向に交差する方向に沿ってねじ込まれるねじ部品と、を備えた多極コネクタにおいて、
前記第二のコネクタから立設した第二のリブを備え、この第二のリブが前記ねじ部品に当接し、且つ、前記第一のリブに近づくにしたがって前記第二のコネクタに近づく方向に傾斜したテーパ面を備えていることを特徴とする多極コネクタ。
【請求項２】
前記ねじ部品が前記第一のリブにねじ込まれる方向と、前記第一のコネクタと前記第二のコネクタとの嵌合方向と、が互いに直交したことを特徴とする請求項１記載の多極コネクタ。
【請求項３】
前記第二のコネクタは、前記第一のリブに前記嵌合方向に沿って摺動自在に取り付けられる摺動部を備えたことを特徴とする請求項１または請求項２記載の多極コネクタ。
【請求項４】
前記第一のリブと前記第二のリブとが互いに離れることを防止する開き防止部材を備えたことを特徴とする請求項１乃至請求項３のうちいずれか一項に記載の多極コネクタ。
【請求項５】
前記第一のコネクタは、構造体に固定されたことを特徴とする請求項１乃至請求項４のうちいずれか一項に記載の多極コネクタ。
【請求項６】
前記構造体が電気接続箱であることを特徴とする請求項５記載の多極コネクタ。
【請求項７】
前記第二のリブに、前記第一のリブを通す貫通孔が設けられたグロメットが、取り付けられているとともに、
前記第一のリブは、前記第一のコネクタに向かうにしたがって徐々に幅が広くなるとともに前記貫通孔の内面と密着する拡径部を備えていることを特徴とする請求項１乃至請求項６のうちいずれか一項に記載の多極コネクタ。
【発明の詳細な説明】
【技術分野】
【０００１】
本発明は、車両としての自動車などの車体を構成するパネルに取り付けられる多極コネクタに関する。
【背景技術】
【０００２】
車両としての自動車などには、種々の電子機器が搭載されている。このため、前記自動車は、ワイヤハーネスを配索している。ワイヤハーネスは、複数の電線と、コネクタなどを備えている。電線は、導電性の芯線とこの芯線を被覆する絶縁性の被覆部とを備えている。コネクタは、金属からなる端子金具と、端子金具を収容する絶縁性のコネクタハウジングとを備えている。端子金具は、電線に取り付けられ、電線の芯線と電気的に接続される。コネクタハウジングは、筒状または箱状に形成されており、前述した端子金具を収容する。
【０００３】
ワイヤハーネスは、コネクタが前述した電子機器のコネクタなどと嵌合するなどして、自動車に配索される。そして、ワイヤハーネスは、前述した端子金具などを介して、各電線と電子機器とを電気的に接続する。ワイヤハーネスは、前述した電子機器同士を予め定められるパターンにしたがって、相互に電気的に接続して、各電子機器に必要な信号や電力を供給する。
【０００４】
前述したコネクタは、収容する端子が増加する傾向がある。この場合、コネクタ同士を嵌合する際に、これらのコネクタ同士を強い力で互いに近づけなければならなくなる。このため、コネクタ同士の嵌合が困難になることがある。この種の問題を解決するために例えば特許文献１などに示す多極コネクタが用いられている。
【０００５】
前述した特許文献１に記載されたコネクタは、例えば、雌雄二種類の雄コネクタと、雌コネクタと、を備えており、これらのコネクタが互いに着脱自在に取り付けられる。雄コネクタと雌コネクタのうち一方のコネクタにボルトが取り付けられ、他方のコネクタにナットが取り付けられる。ボルトをナットに螺合することによって、一方のコネクタを他方のコネクタに押圧して、これらのコネクタを互いに嵌合する。
【０００６】
前述したコネクタは、雄コネクタの端子と、雌コネクタの端子とを連結することによって、コネクタに接続された電線を束ねたワイヤハーネスを介して前述した各電子機器同士を電気的に接続する。
【特許文献１】特開平１０−７４５５６号公報
【発明の開示】
【発明が解決しようとする課題】
【０００７】
しかしながら、従来の多極コネクタにおいては、コネクタ同士を嵌合する際に、ボルトの移動する方向とコネクタ同士が近づく方向（以下嵌合方向とする）とが同方向であるために、コネクタの嵌合方向にボルトの移動ストロークとコネクタ同士の嵌合ストロークとを必要としていた。さらに、ボルトを回すのに大きなスペースが必要なので、取り付け場所が制約されることがあった。
【０００８】
したがって、本発明の目的は、コネクタの嵌合方向に大きなスペースがなくても、コネクタ同士を嵌合することができる多極コネクタを提供することにある。
【課題を解決するための手段】
【０００９】
前記課題を解決し目的を達成するために、請求項１に記載の本発明の多極コネクタは、第一のコネクタと、前記第一のコネクタから立設した第一のリブと、前記第一のコネクタと嵌合する第二のコネクタと、前記第一のリブに前記第一のコネクタと前記第二のコネクタとの嵌合方向に交差する方向に沿ってねじ込まれるねじ部品と、を備えた多極コネクタにおいて、前記第二のコネクタから立設した第二のリブを備え、この第二のリブが前記ねじ部品に当接し、且つ、前記第一のリブに近づくにしたがって前記第二のコネクタに近づく方向に傾斜したテーパ面を備えていることを特徴としている。
【００１０】
請求項２に記載の本発明の多極コネクタは、請求項１に記載の多極コネクタにおいて、前記ねじ部品が前記第一のリブにねじ込まれる方向と、前記第一のコネクタと前記第二のコネクタとの嵌合方向と、が互いに直交したことを特徴としている。
【００１１】
請求項３に記載の本発明の多極コネクタは、請求項１または請求項２記載の多極コネクタにおいて、前記第二のコネクタは、前記第一のリブに前記嵌合方向に沿って摺動自在に取り付けられる摺動部を備えたことを特徴としている。
【００１２】
請求項４に記載の本発明の多極コネクタは、請求項１乃至請求項３のうちいずれか一項に記載の多極コネクタにおいて、前記第一のリブと前記第二のリブとが互いに離れることを防止する開き防止部材を備えたことを特徴としている。
【００１３】
請求項５に記載の本発明の多極コネクタは、請求項１乃至請求項４のうちいずれか一項に記載の多極コネクタにおいて、前記第一のコネクタは、構造体に固定されたことを特徴としている。
【００１４】
請求項６に記載の本発明の多極コネクタは、請求項５に記載の多極コネクタにおいて、前記構造体が電気接続箱であることを特徴としている。
【００１５】
請求項７に記載の本発明の多極コネクタは、請求項１乃至請求項６のうちいずれか一項に記載の多極コネクタにおいて、前記第二のリブに、前記第一のリブを通す貫通孔が設けられたグロメットが、取り付けられているとともに、前記第一のリブは、前記第一のコネクタに向かうにしたがって徐々に幅が広くなるとともに前記貫通孔の内面と密着する拡径部を備えていることを特徴としている。
【００１６】
請求項１に記載した本発明の多極コネクタによれば、第一のリブにねじ部品を螺合させて、ねじ部品が第二のリブの第一のリブに近づくにしたがって第二のコネクタに近づく方向に傾斜したテーパ面に摺接することにより、第二のリブと共に第二のコネクタが第一のコネクタと嵌合する方向に向かう。そして、コネクタ同士が嵌合される。なお、本明細書で言うねじ部品とは、所謂ボルトと、ねじと、の双方を示すものである。また、本明細書に記した嵌合方向とは、第一のコネクタと第二のコネクタが互いに嵌合する際に、これらのコネクタが互いに近づく方向を示している。
【００１７】
請求項２に記載した本発明の多極コネクタによれば、ねじ部品の挿入方向が第二のコネクタの挿入方向に対して直交しているので、第一のコネクタと第二のコネクタとの嵌合方向と直交した方向からねじ部品を回すことができる。
【００１８】
請求項３に記載した本発明の多極コネクタによれば、第一のコネクタと第二のコネクタとを互いに嵌合する際に、第二のコネクタに摺動部を備えていることにより、第二のコネクタの摺動部が第一のリブに沿って摺動し、嵌合方向に沿って第一のコネクタと第二のコネクタとが確実に互いに近づく。
【００１９】
請求項４に記載した本発明の多極コネクタによれば、第一のリブと第二のリブが互いに離れることを開き防止部材が防止するので、第一のリブにねじ部品をねじ込み、第二のリブのテーパ面にねじ部品を摺接する際に、第一のリブと第二のリブとが互いに離れることを防止できる。
【００２０】
請求項５に記載した本発明の多極コネクタによれば、第一のコネクタと構造体とが固定されているために、第一のコネクタと構造体との距離がなく接触している。
【００２１】
請求項６に記載した本発明の多極コネクタによれば、構造体が電気接続箱であるために、第一のコネクタと電気接続箱とを電気的に接続する。
【００２２】
請求項７に記載した本発明の多極コネクタによれば、第一のリブが第一のコネクタに向かうにしたがって徐々に幅が広くなっている拡径部を備えているために、第一のリブにねじ部品を締めて、第二のリブのテーパ面をねじ部品で加圧することにより、第一のリブの拡径部と第二のリブに係止されたグロメットの貫通孔の内面とが密着する。
【発明の効果】
【００２３】
以上説明したように、請求項１に記載の本発明は、第一のリブにねじ部品を螺合させて、ねじ部品が第二のリブのテーパ面に摺接することにより、コネクタハウジング同士を容易に組付けることができる。したがって、ねじ部品がねじ込まれる方向とコネクタ同士の嵌合方向とが交差するので、コネクタの嵌合方向に大きなスペースがなくても、コネクタ同士を嵌合することができる。
【００２４】
請求項２に記載の本発明は、ねじ部品の挿入方向が、コネクタ同士の嵌合方向に対して直交しているので、コネクタ同士の嵌合方向の延長方向に障害物があってもねじ部品を回すことができる。このため、コネクタの嵌合方向に大きなスペースがなくても、コネクタ同士を嵌合できる。
【００２５】
請求項３に記載した本発明は、第二のコネクタが摺動部を備えているために、第二のコネクタの摺動部が第一のリブを摺動し、第一のコネクタと第二のコネクタとを容易に嵌合することができる。
【００２６】
請求項４に記載した本発明は、第一のリブと第二のリブとを開き防止のための開き防止部材により互いに離れることを防止するので、第一のコネクタと第二のコネクタとを嵌合する方向へ力を確実に付勢することができる。したがって、多極コネクタの組付け性が向上する。
【００２７】
請求項５に記載した本発明は、第一のコネクタと構造体が固定されているために、第一のコネクタが構造体と接触しており、第一のコネクタと構造体とが確実に電気的に接続される。
【００２８】
請求項６に記載した本発明は、構造体が電気接続箱であるために、第一のコネクタと電気接続箱との嵌合を容易に行うことができる。
【００２９】
請求項７に記載した本発明は、第一のリブが、第一のコネクタに向かうにしたがって徐々に幅が広くなっている拡径部を備えているために、第一のリブにねじ部品をねじ込んで、第二のリブのテーパ面をねじ部品で加圧することにより、第二のリブに係止されたグロメットに設けられた貫通孔の内面と、第一のリブの拡径部と、が確実に密着し、多極コネクタの組付け性を向上することができる。
【発明を実施するための最良の形態】
【００３０】
以下、本発明の第１の実施形態に係る多極コネクタを図１乃至図１０に基づいて詳細に説明する。本発明の第１の実施形態に係る多極コネクタ１は、図１、図９及び図１０に示すように、構造体としての電気接続箱２に取り付けられる第一のコネクタ３と、前記電気接続箱２から立設された第一のリブ４と、前記第一のリブ４に摺動自在に取り付けられた第二のコネクタ５と、前記第二のコネクタ５から前記第一のリブ４に平行に立設した第二のリブ６と、開き防止部材７と、ねじ部品としてのボルト８を備えている。
【００３１】
電気接続箱２は、自動車に搭載されて、第一のコネクタ３と嵌合する第二のコネクタ５に取り付けられるワイヤハーネス９の各電線１０同士を電気的に接続するものである。
【００３２】
第一のコネクタ３は、電気接続箱２に固定されている。第一のコネクタ３は、図４及び図７乃至図１０に示すように、金属からなる端子金具（図示せず）と、端子金具（図示せず）を収容する絶縁性のコネクタハウジング３ａと、第一のリブ４を通す孔１１と、を備えている。端子金具は、電気接続箱２内のバスバ（図示せず）などと電気的機械的に接続する。コネクタハウジング３ａは、筒状または箱状に形成されており、前述した端子金具（図示せず）を収容する端子収容室を複数備えている。第一のコネクタ３は、孔１１内に第一のリブ４を通して、電気接続箱２の外壁に取り付けられる。
【００３３】
第一のリブ４は、図１、図４及び図７乃至図１０に示すように、略円柱状をなしており、電気接続箱２から立設している。第一のリブ４は、電気接続箱２から立設し、電気接続箱２に第一のコネクタ３が取り付けられるので、第一のリブ４は、あたかも第一のコネクタ３から立設したようになっている。第一のリブ４は、電気接続箱２に取り付けられた第一のコネクタ３に向かうにしたがって徐々に幅（外径）が広くなっている拡径部１２を備えている。第一のリブ４は、電気接続箱２から離れた側の端部にねじ孔１３を設けている。ねじ孔１３の軸心方向は、第一のリブ４の長手方向と直交（交差）している。このため、ねじ孔１３に螺合するボルト８が、第一のリブ４にねじ込まれる方向と、コネクタ３，５同士の嵌合方向と、が互いに直交（交差）している。コネクタ３，５同士の嵌合方向とは、コネクタ同士３，５を嵌合する際に、コネクタ３，５同士が近づく方向である。第一のリブ４は、第二のコネクタ５の後述する摺動部１４内に通されて、この第二のコネクタ５が摺動自在に取り付けられる。
【００３４】
第二のコネクタ５は、図３及び図５乃至図１０に示すように、金属からなる端子金具（図示せず）と、端子金具を収容する絶縁性のコネクタハウジング５ａと、第一のコネクタ３に設けられた第一のリブ４に対応した摺動部１４と、を備えている。端子金具は、電線１０に取り付けられ、電線１０の芯線と電気的に接続される。コネクタハウジング５ａは、筒状または箱状に形成されており、前述した端子金具を収容する端子収容室を複数備えている。摺動部１４は、コネクタハウジング５ａを貫通した孔である。摺動部１４の軸心方向は、コネクタ３，５同士の嵌合方向と平行である。摺動部１４の内側に第一のリブ４を通すことで、第二のコネクタ５を第一のリブ４に嵌合方向に沿って摺動自在に取り付ける。第二のコネクタ５は、第一のリブ４が摺動部１４内を通過して、第一のコネクタ３と嵌合する。
【００３５】
第二のリブ６は、図１、図３及び図５乃至図１０に示すように、第二のコネクタ５から離れた側の端部に第一のリブ４に近づくにしたがって徐々にコネクタ３，５に近づく方向に傾斜したテーパ面１５を備えている。また、第二のリブ６は、多極コネクタ１を覆うグロメット１６を係止するための凹状のグロメット係止溝１７と、第二のコネクタ５に取り付けられる電線１０を束ねたワイヤハーネス９を収容する凹状の電線装填溝１８と、を備えている。グロメット係止溝１７は、第二のリブ６の長手方向の中央部に設けられ、第二のリブ６の外面から凹に形成されている。グロメット係止溝１７は、第二のリブ６の長手方向に対し交差する方向に沿って伸びている。電線装填溝１８は、第二のリブ６の外面から凹に形成され、第二のリブ６の長手方向に沿って伸びている。電線装填溝１８は、第二のリブ６の第二のコネクタ５寄りの端から第二のコネクタ５から離れた側の端に亘って、この第二のリブ６の全長に亘って設けられている。
【００３６】
開き防止部材７は、図１、図９及び図１０に示すように、前記第一のリブ４と、前記第二のリブ６と、のコネクタ３，５より離れた側の端部を覆い束ねるような枠状をしている。開き防止部材７は、ボルト８を挿通させる孔１９を備えている。開き防止部材７は、第一のリブ４と第二のリブ６との端部を覆い束ねることにより、第一のリブ４と第二のリブ６とが互いに離れることを防止する。
【００３７】
前記第一のリブ４に設けられたねじ孔１３には、第二のリブ６に向けてねじ部品としてのボルト８が螺合される。ボルト８は、図１、図４、図９及び図１０に示すように、前述した第一のリブ４に設けられたねじ孔１３に螺合されるねじ部２０と、このねじ部２０の一端部に連なる頭部２１と、を一体に備えている。頭部２１は、ねじ部２０より外周方向に凸である。ボルト８をねじ込むことによって、ねじ部２０の先端が、第二のリブ６のテーパ面１５に摺接する。ねじ部２０の先端が摺接することによって、第二のリブ６を第二のコネクタ５が第一のコネクタ３に近づく方向に押圧する。なお、本明細書で言うねじ部品８とは、所謂ボルトと、ねじと、の双方を示すものである。
【００３８】
第二のリブ６のグロメット係止溝１７には、グロメット１６が取り付けられる。グロメット１６は、ゴムなどの弾性材料からなり、図１、図２及び図６乃至図１０に示すように、略碗状に形成されている。グロメット１６は、第一のリブ４に対応する貫通孔２２と、第二のリブ６に対応する貫通孔２３と、インストルメンメントパネル係止溝（以下インパネ係止溝と呼ぶ）２４を設けている。貫通孔２２，２３は、互いに並べられて設けられているとともに、グロメット１６の中央部に設けられている。貫通孔２２は、内側に第一のリブ４を通す。貫通孔２２の内面は、第一のリブ４の拡径部１２に密着する。貫通孔２３は、内側に第二のリブ６を通す。貫通孔２３の内側は、第二のリブ６のグロメット係止溝１７を係止する。インパネ係止溝２４は、グロメット１６の外縁部に全周に亘って設けられている。インパネ係止溝２４は、車両としての自動車などの車体を構成するインストルメントパネル（以下インパネと呼ぶ）２５に設けられた孔２６の内側に係止する。
【００３９】
以下のように、前述した構成の多極コネクタ１を組み立てる。まず、第二のコネクタ５の端子収容室に電線１０付きの端子金具を挿入する。図５に示すように、第二のリブ６に設けられた電線装填溝１８に第二のコネクタ５の端子金具に接続された電線１０が束ねられて形成されたワイヤハーネス９を収納する。その後、図６に示すように、第二のリブ６を貫通孔２３内に通して、グロメット係止溝１７にグロメット１６の貫通孔２３を嵌める。次に、図７に示すように、第一のコネクタ３の孔１１内に第一のリブ４を通して、第一のコネクタ３を電気接続箱２の外壁に固定する。そして、図８に示すように、第二のコネクタ５の摺動部１４に電気接続箱２より立設した第一のリブ４を相対させ、グロメット１６に設けられた貫通孔２２に第一のリブ４を相対させる。すると、グロメット１６の貫通孔２２の内面と第一のリブ４の拡径部１２とを接触する。そのまま、グロメット１６に設けられたインパネ係止溝２４にインパネ２５の孔２６の内面を嵌める。
【００４０】
さらに、図９に示すように、第一のリブ４と第二のリブ６とのコネクタ３，５より離れた端部に、ボルト８を挿通する孔１９を備えた開き防止部材７を装着する。そして、開き防止部材７に設けられた孔１９にボルト８を挿入する。そのまま、第一のリブ４に設けられたねじ孔１３にボルト８のねじ部２０を螺合させて、ボルト８のねじ部２０の先端が第二のリブ６のテーパ面１５に摺接するように、ボルト８の頭部２１を回して、ボルト８のねじ部２０をねじ孔１３にねじ込む。さらに、ボルト８を締めると、ボルト８のねじ部２０の先端がテーパ面１５に摺接して、テーパ面１５が前述した方向に傾斜しているので、ボルト８をねじ込む力により、コネクタ３，５同士が互いに近づく。その際に、拡径部１２に貫通孔２２の内面が当接して、貫通孔２２が拡径部１２の太い側に徐々に向かうので、グロメット１６が厚みの減る方向に弾性変形する。そして、図１０に示すように、コネクタ３，５同士が完全に嵌合し、グロメット１６の貫通孔２２の内面と第一のリブ４の拡径部１２とが密着する。このように、前述した多極コネクタ１が組み立てられる。
【００４１】
本実施形態によれば、第一のリブ４にボルト８を螺合させて、ボルト８が第二のリブ６のテーパ面１５に摺接することにより、コネクタハウジング３ａ，５ａ同士を容易に嵌合することができる。したがって、ボルト８がねじ込まれる方向とコネクタ３，５同士の嵌合方向とが交差するので、コネクタ３，５の嵌合方向に大きなスペースがなくても、コネクタ３，５同士を嵌合することができる。
【００４２】
ボルト８の挿入方向が、コネクタ３，５同士の嵌合方向に対して直交しているので、コネクタ３，５同士の嵌合方向の延長方向に障害物があってもボルト８を回すことができる。このため、コネクタ３，５の嵌合方向に大きなスペースがなくても、コネクタ３，５同士を嵌合できる。
【００４３】
第二のコネクタ５が摺動部１４を備えているために、第二のコネクタ５の摺動部１４が第一のリブ４を摺動し、第一のコネクタ３と第二のコネクタ５とを容易に嵌合することができる。
【００４４】
第一のリブ４と第二のリブ６とを開き防止のための開き防止部材７により互いに離れることを防止するので、第一のコネクタ３と第二のコネクタ５とを嵌合する方向へ力を確実に付勢することができる。したがって、多極コネクタ１の組付け性が向上する。
【００４５】
第一のコネクタ３と構造体２が固定されているために、第一のコネクタ３が構造体２と接触しており、第一のコネクタ３と構造体２とが確実に電気的に接続される。
【００４６】
構造体２が電気接続箱２であるために、第一のコネクタ３と電気接続箱２との嵌合を容易に行うことができる。
【００４７】
第一のリブ４が、第一のコネクタ３に向かうにしたがって徐々に幅が広くなっている拡径部１２を備えているために、第一のリブ４にボルト８をねじ込んで、第二のリブ６のテーパ面１５をボルト８の先端で加圧することにより、第二のリブ６に係止されたグロメット１６に設けられた貫通孔２３の内面と、第一のリブ４の拡径部１２と、が確実に密着し、多極コネクタ１の組付け性を向上することができる。
【００４８】
次に、本発明の第２の実施形態に係る多極コネクタを、図１１を参照して説明する。なお、前述した第１の実施形態と同一構成部分には、同一符号を付して説明を省略する。
【００４９】
本実施形態の多極コネクタ１の第一のリブ４は、図１１に示すように、第一のコネクタ３より立設している。
【００５０】
本実施形態においても、第一のリブ４は、第二のコネクタ５が摺動自在に取り付けられる。第二のコネクタ５は、テーパ面１５を備えた第二のリブ６が立設している。第一のリブ４に第二のリブ６の反対側からねじ部品８がねじ込まれて、ねじ部品８の先端が、第二のリブ６のテーパ面１５に摺接する。
【００５１】
本実施形態によれば、第一のリブ４にボルト８を螺合させて、ボルト８が第二のリブ６のテーパ面１５に摺接することにより、コネクタハウジング３ａ，５ａ同士を容易に嵌合することができる。したがって、ボルト８がねじ込まれる方向とコネクタ３，５同士の嵌合方向とが交差するので、コネクタ３，５の嵌合方向に大きなスペースがなくても、コネクタ３，５同士を嵌合することができる。
【００５２】
ボルト８の挿入方向が、コネクタ３，５同士の嵌合方向に対して直交しているので、コネクタ３，５同士の嵌合方向の延長方向に障害物があってもボルト８を回すことができる。このため、コネクタ３，５の嵌合方向に大きなスペースがなくても、コネクタ３，５同士嵌合できる。
【００５３】
第二のコネクタ５が摺動部１４を備えているために、第二のコネクタ５の摺動部１４が第一のリブ４を摺動し、第一のコネクタ３と第二のコネクタ５とを容易に嵌合することができる。
【００５４】
第一のリブ４と第二のリブ６とを開き防止のための開き防止部材７により互いに離れることを防止するので、第一のコネクタ３と第二のコネクタ５とを嵌合する方向へ力を確実に付勢することができる。したがって、多極コネクタ１の組付け性が向上する。
【００５５】
第一のコネクタ３と構造体２が固定されているために、第一のコネクタ３が構造体２と接触しており、第一のコネクタ３と構造体２とが確実に電気的に接続される。
【００５６】
構造体２が電気接続箱２であるために、第一のコネクタ３と電気接続箱２との嵌合を容易に行うことができる。
【００５７】
第一のリブ４が、第一のコネクタ３に向かうにしたがって徐々に幅が広くなっている拡径部を備えているため、第一のリブ４にボルト８をねじ込んで、テーパ面１５をボルト８の先端で加圧することにより、第二のリブ６に係止されたグロメット１６に設けられた貫通孔２３の内面と、第一のリブ４の拡径部１２と、が確実に密着し、多極コネクタ１の組付け性を向上することができる。
【００５８】
前述した実施形態では、第一のコネクタ３が取り付けられる構造体として電気接続箱２を示している。しかしながら、本発明では、第一のコネクタ３が取り付けられる構造体を電気接続箱２以外の種々のものにしても良いことは勿論である。本発明では、ボルト８の他にねじを用いても良い。
【００５９】
なお、前述した実施形態は本発明の代表的な形態を示したに過ぎず、本発明は、実施形態に限定されるものではない。即ち、本発明の骨子を逸脱しない範囲で種々変形して実施することができる。また、本発明のテーパ面１５を逆にすることにより離脱に利用することができる。
【図面の簡単な説明】
【００６０】
【図１】本発明の第１の実施形態に係る多極コネクタを示す斜視図である。
【図２】図１に示された多極コネクタに取り付けられるグロメットを示す斜視図である。
【図３】図１に示された多極コネクタの第２のコネクタ及び第二のリブの斜視図である。
【図４】図１に示された多極コネクタの第一のコネクタ及び第一のリブなどの斜視図である。
【図５】第二のリブに電線が配索された状態を示す正面図である。
【図６】第二のリブにグロメットを取り付けた状態を示す正面図である。
【図７】第一のコネクタを電気接続箱に取り付けた状態と第二のコネクタとを示す断面図である。
【図８】第一のコネクタと第二のコネクタとを嵌合する状態を示す断面図である。
【図９】第一及び第二のリブに開き防止部材とねじ部品とを取り付けた状態を示す断面図である。
【図１０】図１中のＶＩ−ＶＩ線に沿う断面図である。
【図１１】本発明の第２の実施形態に係る多極コネクタを示す断面図である。
【符号の説明】
【００６１】
１  多極コネクタ
２  電気接続箱（構造体）
３  第一のコネクタ
４  第一のリブ
５  第二のコネクタ
６  第二のリブ
７  開き防止部材
８  ボルト（ねじ部品）
１２  拡径部
１４  摺動部
１５  テーパ面
１６  グロメット
２２  貫通孔
【図１】
2005353356.tif 000003
【図２】
2005353356.tif 000004
【図３】
2005353356.tif 000005
【図４】
2005353356.tif 000006
【図５】
2005353356.tif 000007
【図６】
2005353356.tif 000008
【図７】
2005353356.tif 000009
【図８】
2005353356.tif 000010
【図９】
2005353356.tif 000011
【図１０】
2005353356.tif 000012
【図１１】
2005353356.tif 000013